(57)【要約】【課題】作成した編集図形情報の健全性を点検し、エラー個所を表示および出力することによって、効率的な編集図形情報確認方法を提供し、エラー個所を修正することを可能とする図形編集装置を提供する。【解決手段】図形情報記憶手段に記憶された編集図形情報が、図形精度確認用情報記憶手段に記憶された図形精度確認用情報に一致するか否かを検出し、エラー個所を示すエラー図形情報を生成して、エラー図形情報記憶手段に記憶する図形精度確認手段と、エラー個所をリスト形式で示したエラーリスト情報を記憶するエラーリスト情報記憶手段と、図形情報記憶手段に記憶された編集図形情報およびエラー図形情報記憶手段に記憶されたエラー図形情報から、表示図形情報および出力図形情報を生成する図形情報編集手段とを備える。【選択図】      図１
2005043955.tif 000002
【特許請求の範囲】
【請求項１】
図形を作成した時に図形の精度を表示および出力する手段を備えた図形編集装置であって、
入力された図形から入力図形情報を生成する入力手段と、
表示図形情報を表示する表示手段と、
出力図形情報を出力する出力手段と、
編集図形情報を記憶する図形情報記憶手段と、
前記編集図形情報が正しいか否かを確認するために用いる図形精度確認用情報を記憶する図形精度確認用情報記憶手段と、
エラー図形情報を記憶するエラー図形情報記憶手段と、
前記図形情報記憶手段に記憶された編集図形情報が、前記図形精度確認用情報記憶手段に記憶された図形精度確認用情報に一致するか否かを検出し、修正処置をユーザに促すためにエラー個所を示すエラー図形情報を生成して、前記エラー図形情報記憶手段に記憶する図形精度確認手段と、
前記エラー個所をリスト形式で示したエラーリスト情報を記憶するエラーリスト情報記憶手段と、
前記入力図形情報を入力する前に前記図形情報記憶手段から既に作成されている編集図形情報を取り出し、前記入力図形情報を付加した編集図形情報として前記図形情報記憶手段に出力するとともに、前記図形情報記憶手段に記憶された編集図形情報および前記エラー図形情報記憶手段に記憶されたエラー図形情報から、表示図形情報および出力図形情報を生成する図形情報編集手段と
を備えたことを特徴とする図形編集装置。
【請求項２】
前記図形精度確認手段は、
前記図形精度確認用情報記憶手段に記憶された結線と結線を接続する際の図形精度確認用情報を用いて、前記図形情報記憶手段に記憶された編集図形情報を確認し、結線ルールに合致しないエラー結線をエラー個所情報として抽出する結線確認部と、
前記エラー個所情報として、エラー結線を通常の結線とは別の色、または別の線種で塗りつぶすエラー図形情報を作成し、前記エラー図形情報記憶手段に出力する結線エラーマーク付加部と
を備えたことを特徴とする請求項１に記載の図形編集装置。
【請求項３】
前記図形精度確認手段は、
前記図形精度確認用情報記憶手段に記憶されたシンボルとシンボルを結線で接続する際の図形精度確認用情報を用いて、前記図形情報記憶手段に記憶された編集図形情報を確認し、シンボルとシンボルとの間の依存関係ルールに合致しないエラーシンボルを、エラー個所情報として抽出するシンボル確認部と、
前記エラー個所情報として、エラーシンボルの原点を丸印で囲むエラー図形情報を作成し、前記エラー図形情報記憶装置に出力するシンボルエラーマーク付加部と
を備えたことを特徴とする請求項１に記載の図形編集装置。
【請求項４】
前記図形精度確認手段は、
前記図形精度確認用情報記憶手段に記憶された結線に採番された線番号の図形精度確認用情報を用いて、前記図形情報記憶手段に記憶された編集図形情報を確認し、線番号ルールに合致しないエラー線番号を、エラー個所情報として抽出する線番号確認部と、
前記エラー個所情報として、エラー線番号を丸印で囲むエラー図形情報を作成し、前記エラー図形情報記憶手段に出力する線番号エラーマーク付加部と
を備えたことを特徴とする請求項１に記載の図形編集装置。
【請求項５】
前記図形精度確認手段は、
前記図形精度確認用情報記憶手段に記憶された方眼紙の交点（グリッド）情報を用いて、前記図形情報記憶手段に記憶された編集図形情報を確認し、結線配置位置ルールに合致していないエラー結線を、エラー個所情報として抽出する結線配置位置確認部と、
前記エラー個所情報として、エラー結線の始点、屈折点、終点を丸印で囲むエラー図形情報を作成し、前記エラー図形情報記憶手段に出力する結線配置位置エラーマーク付加部と
を備えたことを特徴とする請求項１に記載の図形編集装置。
【請求項６】
前記図形精度確認手段は、
前記図形精度確認用情報記憶手段に記憶された方眼紙の交点（グリッド）情報を用いて、前記図形情報記憶手段に記憶された編集図形情報を確認し、シンボル配置位置ルールに合致していないエラーシンボルを、エラー個所情報として抽出するシンボル配置位置確認部と、
前記エラー個所情報として、エラーシンボルの原点を丸印で囲むエラー図形情報を作成し、前記エラー図形情報記憶手段に出力する前記シンボルエラーマーク付加部と
を備えたことを特徴とする請求項１に記載の図形編集装置。
【請求項７】
前記結線エラーマーク付加部、前記シンボルエラーマーク付加部、前記線番号エラーマーク付加部または前記結線配置位置エラーマーク付加部は、各々のエラー個所情報を、図面上にあらかじめ定義した方眼状の領域に任意の文字列を割り当てて図面上の位置を特定する指標とし、リスト形式で表示するエラーリスト情報記憶手段に出力する機能を備えたことを特徴とする請求項１乃至６のいずれか１項に記載の図形編集装置。
【請求項８】
前記入力手段から入力された入力図形情報が前記図形情報記憶手段に記憶した図と、エラー個所を示したエラー図形情報が前記エラー図形情報記憶手段に記憶された図とを各々合成して、前記表示手段および出力手段に出力する機能を備えたことを特徴とする請求項１乃至７のいずれか１項に記載の図形編集装置。
【発明の詳細な説明】
【０００１】
【発明の属する技術分野】
本発明は、プラント制御用コントローラに搭載するソフトウェアを作画した図面の健全性を自動的に確認するツールに係わり、特に、発見されたエラー箇所をユーザに図形または文字列にて的確に告知し、エラーの修正を促す機能を備えた図形編集装置に関する。
【０００２】
【従来の技術】
図１０は、従来の図形編集装置のブロック図を示したものである。図１０において、従来の図形編集装置１０は、マウスやキーボードなどの入力手段６と、図形情報の編集処理を行う図形情報編集手段５と、グラフィックディスプレィなどからなる表示手段７と、プリンタなどからなる出力手段８と、編集された図形情報を記憶する図形情報記憶手段２とから構成されている。
【０００３】
入力手段６から入力された入力図形情報Ａは、図形情報編集手段５に入力される。この入力図形情報Ａは、図形情報編集手段５により、図形の配置の決定などの編集が施され、編集された図形情報は、表示図形情報Ｂとして表示手段７に出力され、表示される。
【０００４】
また、図形情報編集手段５で編集された上記入力図形情報Ａは、出力図形情報Ｃとして出力手段８に出力され、図面やリストなどで出力される。さらに図形情報編集手段５で編集された上記入力図形情報Ａは、図形情報記憶手段２に編集図形情報Ｄとして記憶される。
【０００５】
このようにして作成された図形情報を修正する場合は、図形情報記憶手段２に記憶しておいた編集図形情報Ｄが図形情報編集手段５に読み込まれ、前述のように表示手段７に表示図形情報Ｂとして出力され、表示される。
【０００６】
図形情報の修正内容は、入力装置６から図形情報編集手段５へ入力され、前述のように図形情報編集手段５で現在表示されている図形情報と合成され、表示手段７へ出力・表示され、出力手段８へ出力され、さらに図形情報記憶手段２で記憶される。
【０００７】
以上のように、従来の図形編集装置によれば、入力手段で入力された図形情報は、まず編集され、編集された図形情報は、表示手段で表示され、出力手段へ出力され、記憶手段で記憶される。さらに作成済みの図形情報も修正することができる。
【０００８】
しかしながら、図形編集手段１０を用いて設計者が作成した図形情報が正しく作成されているかどうかを確認するためには、一般的には、図１１に示すように、表示手段７に表示された表示情報Ｈ（すなわち制御装置に搭載されるプラント制御用ソフトウェア図２１）または、出力手段８によって出力された出力情報Ｉと、シンボル４０の使用方法４３、線番の定義４４、結線の定義４５を記述した文法書２２とを照らし合わせながら確認する方法しか無かった。
【０００９】
ただし、図形の配置、大きさを誤って入力すると、この誤りを指摘したり、自動的に修正したりすることが可能な図形編集装置が開示されている（例えば、特許文献１参照。）。
【００１０】
この場合には、エラーの対象は、１つの図形が他の図形に重なっている場合に限られており、その他のエラーについては何ら開示されていない。
また、図面情報に存在するエラーを前もって検出し、オペレータに知らせることができる図面情報処理方法および装置が開示されている（例えば、特許文献２参照。）。
【００１１】
この場合でも、エラーの対象は、製図規約、線分と円弧などの誤差、加工不可能個所、ＮＣパスの計算可否など多様な事項を想定しているが、具体的なエラー検出方法については何ら開示されていない。
【００１２】
【特許文献１】
特開平４−９５１７１号公報（第６頁、第２図）
【特許文献２】
特開平７−２１２４５号公報（第２頁、［０００８］）
【００１３】
【発明が解決しようとする課題】
上述したような図形編集装置におけるエラー対策は散見するものの、プラント制御用ソフトウェア図２１に関しては、エラー対象が多く、従来、人間系での図面確認作業が行われていた。そのために、エラー箇所の見逃しが発生しやすく、文法書２２に定義された多くの内容と一致したソフトウェア図を作成するのは困難であり、図面の健全性確認に多くの時間を費やしていた。さらに、図面の書き方を知っている設計者以外の人には、図面内容を確認することができなかった。
【００１４】
そこで本発明の目的は、作成した編集図形情報の健全性を自動的にかつ多面的に点検し、各種のエラー個所を表示および出力することによって、編集図形情報を容易に確認する方法を提供し、さらに、夫々のエラー個所を設計者以外の人にも修正することことができる図形編集装置を提供することである。
【００１５】
【課題を解決するための手段】
上記の目的を達成するために、請求項１に記載の図形編集装置は、図形を作成した時に図形の精度を表示および出力する手段を備えた図形編集装置であって、入力された図形から入力図形情報を生成する入力手段と、表示図形情報を表示する表示手段と、出力図形情報を出力する出力手段と、編集図形情報を記憶する図形情報記憶手段と、編集図形情報が正しいか否かを確認するために用いる図形精度確認用情報を記憶する図形精度確認用情報記憶手段と、エラー図形情報を記憶するエラー図形情報記憶手段と、図形情報記憶手段に記憶された編集図形情報が、図形精度確認用情報記憶手段に記憶された図形精度確認用情報に一致するか否かを検出し、修正処置をユーザに促すためにエラー個所を示すエラー図形情報を生成して、前記エラー図形情報記憶手段に記憶する図形精度確認手段と、エラー個所をリスト形式で示したエラーリスト情報を記憶するエラーリスト情報記憶手段と、入力図形情報を入力する前に図形情報記憶手段から既に作成されている編集図形情報を取り出し、入力図形情報を付加した編集図形情報として図形情報記憶手段に出力するとともに、図形情報記憶手段に記憶された編集図形情報およびエラー図形情報記憶手段に記憶されたエラー図形情報から、表示図形情報および出力図形情報を生成する図形情報編集手段とを備えたことを特徴とする。
【００１６】
本発明の図形編集装置では、入力手段より入力された入力図形情報は、図形情報編集手段に入力される。図形情報編集手段に入力された入力図形情報は、配置位置の決定などの編集処理が行われ表示手段に表示するための表示情報および出力手段に出力する出力情報が生成される。また、入力図形情報とともに情報記憶命令が図形情報編集手段に入力されると、入力図形情報が編集図形情報となり図形情報記憶手段に記憶される。
【００１７】
図形情報記憶手段に記憶された編集図形情報を修正する場合は、図形情報記憶手段に記憶された編集図形情報が図形情報編集手段に読み込まれ、入力手段から図形情報編集手段に入力された入力図形情報と合成されて編集図形情報となり、情報記憶司令が図形情報編集手段に入力されると、合成された編集図形情報が図形情報記憶手段に記憶される。
【００１８】
図形精度確認用情報記憶手段には、予め図形情報記憶手段に記憶された編集図形情報の健全性を確認するために必要な図形精度確認用情報が、記憶されている。図形精度確認用情報記憶手段に記憶された図形精度確認用情報は、入力手段より入力することが可能である。
【００１９】
入力手段より図形情報編集手段に入力された図形精度確認用情報は、同じく入力手段より入力された追加・変更・削除のいずれかの命令によって図形精度確認用情報として図形精度確認用情報記憶手段に記憶される。
【００２０】
これら図形情報記憶手段に記憶された編集図形情報と、図形精度確認用情報記憶手段に記憶された図形精度確認用情報とは、図形精度確認手段に読み込まれる。
【００２１】
図形精度確認手段は、読み込まれた図形精度確認用情報を用いて、編集図形情報の健全性を確認し、図形精度確認用情報と一致しない個所がエラー個所として検出される。
【００２２】
検出されたエラー個所情報は、エラー図形情報としてエラー図形情報記憶手段に記憶される。エラー図形情報記憶手段に記憶されたエラー図形情報は、図形情報編集手段に読み込まれ、図形情報編集手段により、表示手段および出力手段に夫々出力され、表示および出力される。
【００２３】
このように編集図形情報を作成した場合には、編集図形情報の健全性を確認し、各種のエラー個所を表示および出力することができる図形編集装置を提供することができる。
【００２４】
また、請求項２に記載の図形編集装置は、請求項１に記載の図形編集装置において、図形精度確認手段は、図形精度確認用情報記憶手段に記憶された結線と結線を接続する際の図形精度確認用情報を用いて、図形情報記憶手段に記憶された編集図形情報を確認し、結線ルールに合致しないエラー結線をエラー個所情報として抽出する結線確認部と、エラー個所を通常の結線とは別の色、または、別の線種で塗りつぶすエラー図形情報を作成し、エラー図形情報記憶手段に出力する結線エラーマーク付加部とを備えたことを特徴とする。
【００２５】
これにより、編集図形情報の結線ルールに合致しないエラー結線をエラー個所情報として抽出し、修正することができる。
【００２６】
また、請求項３に記載の図形編集装置は、請求項１に記載の図形編集装置において、図形精度確認手段は、図形精度確認用情報記憶手段に記憶されたシンボルとシンボルを結線で接続する際の図形精度確認用情報を用いて、図形情報記憶手段に記憶された編集図形情報を確認し、シンボルとシンボルとの間の依存関係ルールに合致しないエラーシンボルを、エラー個所情報として抽出するシンボル確認部と、エラー個所情報としてエラーシンボルの原点を丸印で囲むエラー図形情報を作成し、エラー図形情報記憶手段に出力するシンボルエラーマーク付加部とを備えたことを特徴とする。
【００２７】
これにより、編集図形情報のシンボルとシンボルとの間の依存関係ルールに合致しないエラー結線をエラー個所情報として抽出し、修正することができる。
【００２８】
また、請求項４に記載の図形編集装置は、請求項１に記載の図形編集装置において、図形精度確認手段は、図形精度確認用情報記憶手段に記憶された結線に採番された線番号の図形精度確認用情報を用いて、図形情報記憶手段に記憶された編集図形情報を確認し、線番号ルールに合致しないエラー線番号を、エラー個所情報として抽出する線番号確認部と、エラー個所情報として、エラー線番号を丸印で囲むエラー図形情報を作成し、エラー図形情報記憶手段に出力する線番号エラーマーク付加部とを備えたことを特徴とする。
【００２９】
これにより、編集図形情報の線番号ルールに合致しないエラー結線を、エラー個所情報として抽出し、修正することができる。
【００３０】
また、請求項５に記載の図形編集装置は、請求項１に記載の図形編集装置において、図形精度確認手段は、図形精度確認用情報記憶手段に記憶された方眼紙の交点（グリッド）情報を用いて、図形情報記憶手段に記憶された編集図形情報を確認し、結線配置位置ルールに合致していないエラー結線を、エラー個所情報として抽出する結線配置位置確認部と、エラー個所情報としてエラー結線の始点、屈折点、終点を丸印で囲むエラー図形情報を作成し、エラー図形情報記憶手段に出力する結線配置位置エラーマーク付加部とを備えたことを特徴とする。
【００３１】
これにより、編集図形情報の結線配置位置ルールに合致しないエラー結線をエラー個所情報として抽出し、修正することができる。
【００３２】
また、請求項６に記載の図形編集装置は、請求項１に記載の図形編集装置において、図形精度確認手段は、図形精度確認用情報記憶手段に記憶された方眼紙の交点（グリッド）情報を用いて、図形情報記憶手段に記憶された編集図形情報を確認し、シンボル配置位置ルールに合致していないエラーシンボルを、エラー個所情報として抽出するシンボル配置位置確認部と、エラー個所情報として、エラーシンボルの原点を丸印で囲むエラー図形情報を作成し、エラー図形情報記憶手段に出力するシンボルエラーマーク付加部とを備えることを特徴とする。
【００３３】
これにより、編集図形情報のシンボル配置位置ルールに合致しないエラーシンボルをエラー個所情報として抽出し、修正することができる。
【００３４】
また、請求項７に記載の図形編集装置は、請求項１乃至６のいずれか１項に記載の図形編集装置において、結線エラーマーク付加部、シンボルエラーマーク付加部、線番号エラーマーク付加部、結線配置位置エラーマーク付加部が、エラー個所情報を図面上にあらかじめ定義した方眼状の領域に任意の文字列を割り当てて図面上の位置を特定できる指標とし、エラー箇所をリスト形式で表示するエラーリスト情報記憶手段に出力する機能を備えたことを特徴とする。
【００３５】
これにより、エラー箇所が分かり易くなり、容易に認知することができる。
【００３６】
また、請求項８に記載の図形編集装置は、請求項１乃至７のいずれか１項に記載の図形編集装置において、入力手段から入力された入力図形情報が図形情報記憶手段に記憶した図と、エラー個所を示したエラー図形情報がエラー図形情報記憶手段に記憶された図とを各々合成して、表示手段および出力手段に出力する機能を備えたことを特徴とする。
【００３７】
これにより、エラー箇所を、リスト形式を用いることなく、より分かり易くなり、直ちに視認することができる。
【００３８】
【発明の実施の形態】
（第１の実施の形態：請求項１乃至８に対応）
図１は、本発明の図形編集装置の第１の実施の形態を示すブロック図である。
【００３９】
本発明の図形編集装置は、入力図形情報Ａを生成し、この入力図形情報Ａを図形情報編集手段５に出力する。例えばマウスやキーボード等の入力手段６からの入力図形情報Ａを編集し、表示図形情報Ｂ、出力図形情報Ｃおよび編集図形情報Ｄ並びに図形精度確認用情報Ｅを生成し、かつ、エラー図形情報Ｆおよび編集図形情報Ｄを読み込む図形情報編集手段５と、表示図形情報Ｂを表示する、例えばグラフィックディスプレイ等の表示手段７と、出力図形情報Ｃを出力する、例えばプリンタ等の出力手段８と、編集図形情報Ｄを記憶する図形情報記憶手段２と、エラー図形情報Ｆを記憶するエラー図形情報記憶手段４と、図形精度確認用情報Ｅを記憶する図形精度確認用情報記憶手段３と、図形精度確認用情報Ｅに基づき編集図形情報Ｄの健全性を確認して、図形精度確認用情報Ｅに合致しない場合、そのエラー個所に対してエラー図形情報Ｆおよびエラーリスト情報Ｇを生成する図形精度確認手段１と、エラーリスト情報Ｇを記憶するエラーリスト情報記憶手段９とを備える。
【００４０】
図２は、本発明における図形精度確認手段１の実施例を示すブロック図である。
【００４１】
本発明の図形精度確認手段１は、図形精度確認用情報記憶手段３に記憶された結線と結線を接続する際のルール情報を用いて、図形情報記憶手段２に記憶された編集図形情報Ｄを確認し、結線ルールに合致しないエラー結線をエラー個所情報として抽出する結線確認部１１と、エラー個所を通常の結線とは別の色、または、別の線種で塗りつぶすエラー図形情報Ｆを作成し前記エラー図形情報記憶手段９に出力する結線エラーマーク付加部１２とを備えている。
【００４２】
また、図形精度確認用情報記憶手段３に記憶されたシンボルとシンボルを結線で接続する際のルール情報を用いて、図形情報記憶手段２に記憶された編集図形情報Ｄを確認し、シンボルとシンボルとの間の依存関係ルールに合致しないシンボルを、エラー個所情報として抽出するシンボル確認部１３と、エラー個所情報として、通常のシンボルの原点を丸印で囲むエラー図形情報Ｆを作成しエラー図形情報記憶手段９に出力するシンボルエラーマーク付加部１４とを備えている。
【００４３】
また、図形精度確認用情報記憶手段３に記憶された結線に採番された線番号のルール情報を用いて、図形情報記憶手段２に記憶された情報を編集図形確認し、線番号ルールに合致しないエラー線番号をエラー個所情報として抽出する線番号確認部１５と、エラー個所情報としてエラー線番号の原点を丸印で囲むエラー図形情報Ｆを作成し前記エラー図形情報記憶手段９に出力する線番号エラーマーク付加部１６とを備えている。
【００４４】
また、図形精度確認用情報記憶手段３に記憶された方眼状の交点（グリッド）情報を用いて、図形情報記憶手段２に記憶された編集図形情報Ｄを確認し、結線の始点、屈折点、終点が交点に一致していないエラー結線をエラー個所情報として抽出する結線配置位置確認部１７と、エラー個所情報としてエラー結線の始点、屈折点、終点を丸印で囲むエラー図形情報Ｆを作成しエラー図形情報記憶手段９に出力する結線配置位置エラーマーク付加部１８とを備えている。
【００４５】
また、図形精度確認用情報記憶手段３に記憶された方眼紙の交点（グリッド）情報を用いて、図形情報記憶手段２に記憶された編集図形情報Ｄを確認し、シンボルの原点が交点に一致していないエラーシンボルをエラー個所情報として抽出するシンボル配置位置確認部１９と、エラー個所情報として、エラーシンボルの原点を丸印で囲むエラー図形情報Ｆを作成し、前記エラー図形情報記憶手段９に出力するシンボルエラーマーク付加部１４とを備えている。
【００４６】
また、結線エラーマーク付加部１２、シンボルエラーマーク付加部１４、線番号エラーマーク付加部１６、結線配置位置エラーマーク付加部１８が、エラー個所情報を図面上にあらかじめ定義した方眼状の領域に任意の文字列を割り当てて図面上の位置を特定できる指標とし、エラー箇所をリスト形式で表示するエラーリスト情報記憶手段９に出力する機能を備えている。
【００４７】
第１の実施の形態によれば、編集図形情報を作成した場合、編集図形情報の健全性を確認し、エラー個所を表示および出力することができる図形編集装置を提供することができる。
【００４８】
（第２の実施の形態：請求項２に対応）
まず、図２を用いて、結線確認部エラー発見方法について詳細に説明する。
【００４９】
図形情報記憶手段２には、編集図形情報Ｄとして、結線の始点、折れ点、終点の情報Ｄ１が、図３に示すように、結線１始点Ｘ、結線１始点Ｙ、結線１折れ点Ｘ１、結線１折れ点Ｙ１、…、結線１折れ点Ｘｎ、結線１折れ点Ｙｎ、結線１終点Ｘ、結線１終点Ｙ、結線２始点Ｘ、結線２始点Ｙ、結線２終点Ｘ、結線２終点Ｙ、…、結線ｍ始点Ｘ、結線ｍ始点Ｙ、結線ｍ折れ点Ｘ１、結線ｍ折れ点Ｙ１、…、結線ｍ折れ点Ｘｎ、結線ｍ折れ点Ｙｎ、結線ｍ終点Ｘ、結線ｍ終点Ｙのように記憶されている。
【００５０】
また、シンボル情報Ｄ２が、図３に示すように、シンボル１名、シンボル１座標Ｘ、シンボル１座標Ｙ、シンボルピン数、ピンタイプ、ピン１座標Ｘ、ピン１座標Ｙ、…ピンｎ座標Ｘ、ピンｎ座標Ｙ、…、シンボルｍ名、シンボルｍ座標Ｘ、シンボルｍ座標Ｙ、シンボルｍピン数、ピンタイプ、ピン１座標Ｘ、ピン１座標Ｙ、…ピンｎ座標Ｘ、ピンｎ座標Ｙ、のように記憶されている。
【００５１】
さらに、線番情報Ｄ３が、図３に示すように、線番１、線番１座標Ｘ、線番１座標Ｙ、線番２、線番２座標Ｘ、線番２座標Ｙ、…、線番ｍ、線番ｍ、線番ｍ座標Ｙ、のように記憶されている。
【００５２】
一方、図２に戻り、図形精度確認用情報記憶手段３には、図面精度確認用情報（結線確認用）Ｅ１として以下の２つのルールが記憶されている。
【００５３】
（１）斜め線は使用できない。具体的には、結線ｍの始点〜終点までのＸＹ座標の組み合わせのうち、連続した点のＸ座標およびＹ座標の両方が変化している場合は斜め線と判断する。例えば、結線１始点Ｘ≠結線１折れ点Ｘ１かつ結線１始点Ｙ≠結線１折れ点Ｙ１であれば斜め線と判断する。
【００５４】
（２）結線の始点および終点がシンボルのピンに接続されている。具体的には、結線１始点Ｘ、結線１始点Ｙがいずれのシンボルが持ついずれかのピンの座標とも一致しない場合、例えば、結線１始点Ｘ≠シンボルｍが持つピンｎ座標Ｘ、または、結線１始点Ｙ≠シンボルｍが持つピンｎ座標Ｙの場合、結線１の始点はシンボルのピンに接続されていないと判断する。
【００５５】
ここで、図２に示すように、図形精度確認手段１内にある結線確認部１１は、図形情報記憶手段２に記憶されている結線の始点、折れ点、終点の情報Ｄ１と、シンボル情報Ｄ２、および図形精度確認用情報記憶手段３に記憶されている図形精度確認用情報（結線確認用）Ｅ１を読み込み、上記始点、折れ点、終点の情報Ｄ１に対して、上記図形精度確認用情報（結線確認用）Ｅ１を用いて、一致していない部分をエラー個所情報（結線確認部）Ｊとして取り出す。
【００５６】
すなわち、斜め線検出例としては、結線の始点、折れ点、終点の情報Ｄ１に対して、結線ｍ（ｍ＝１，２，…）の始点〜終点までのＸＹ座標の組み合わせのうち、連続した点のＸ座標およびＹ座標の両方が変化している場合は、斜め線と判断しエラー個所情報（結線確認部）Ｊを取り出す。具体的には、結線１始点Ｘ≠結線１折れ点Ｘ１かつ結線１始点Ｙ≠結線１折れ点Ｙ１であれば斜め線と判断し、エラー個所情報（結線確認部）Ｊとして結線の座標、例えば、結線１始点Ｘ、結線１始点Ｙ、結線１折れ点Ｘ１、結線１折れ点Ｙ１、…、結線１折れ点Ｘｎ、結線１折れ点Ｙｎ、結線１終点Ｘ、結線１終点Ｙを取り出す。
【００５７】
結線の始点および終点がシンボルのピンに接続されていない場合の検出例としては、結線ｍ（ｍ＝１，２，…）の始点および終点の座標が、いずれのシンボルが持ついずれかのピンの座標とも一致しない場合は、「結線の始点および終点がシンボルのピンに接続されていない。」と判断し、エラー個所情報（結線確認部）Ｊを取り出す。
【００５８】
具体的には、結線１始点Ｘ≠シンボルｍが持つピンｎ座標Ｘ、または、結線１始点Ｙ≠シンボルｍが持つピンｎ座標Ｙ（ｍ，ｎ＝１，２，…）の場合、結線１の始点はシンボルのピンに接続されていないと判断し、エラー個所情報（結線確認部）Ｊとして結線の座標、例えば、結線１始点Ｘ、結線１始点Ｙ、結線１折れ点Ｘ１、結線１折れ点Ｙ１、…、結線１折れ点Ｘｎ、結線１折れ点Ｙｎ、結線１終点Ｘ、結線１終点Ｙを取り出す。
【００５９】
結線確認部１１にて取り出されたエラー個所情報（結線確認部）Ｊは、結線エラーマーク付加部１２に読み込まれ、取り出されたエラー個所情報（結線確認部）Ｊをもとに、結線の色を変化させる情報、または、図４に示すように、結線の線種を変化させるエラー図形情報（結線確認部）Ｆ１を生成し、エラー図形情報記憶手段４に記憶する。
【００６０】
図１に示すように、生成されたエラー図形情報Ｆおよび図形情報記憶手段２に記憶された編集図形情報Ｄを図形情報編集手段５に読み込んで、出力情報Ｃとして出力手段８に出力および表示情報Ｂとして表示手段７に表示する。その一例を、図４に示す。
【００６１】
また、図２において、結線エラーマーク付加部１２は、結線確認部１１にて取り出されたエラー個所情報（結線確認部）Ｊをもとに、エラー結線の始点情報Ｐ、具体的には、斜め結線のＸ座標、Ｙ座標、例えば、（結線１始点Ｘ、結線１始点Ｙ）およびシンボルに接続されていない結線のＸ座標、Ｙ座標、例えば、（結線１始点Ｘ、結線１始点Ｙ）を生成し、エラーマトリックス表示機能２０に出力する。
【００６２】
エラーマトリックス表示機能２０は、受け取ったエラー結線の始点情報ＰのＸ座標、Ｙ座標をマトリックス、具体的には、Ｘ座標の０〜１０をＡ、１１〜２０をＢ、…、２５０〜２６０をＺ、同様にＹ座標の０〜１０をＡ、１１〜２０をＢ、…、２５０〜２６０をＺに変換し、例えば（Ｘ，Ｙ）＝（８，１５）はマトリックス＝ＡＢ）に変換し、エラーリスト情報Ｕとしてエラーリスト情報記憶手段９に出力し記憶する。
【００６３】
第２の実施の形態によれば、結線確認部エラー発見を確実に行うことができる。
【００６４】
（第３の実施の形態：請求項３に対応）
次に、シンボル確認部エラー発見方法について詳細に説明する。
【００６５】
図形情報記憶手段２には、図３に示すように、編集図形情報Ｄとして結線の始点、折れ点、終点の情報Ｄ１とシンボル情報Ｄ２が記憶されている。
【００６６】
一方、図２に示す図形精度確認用情報記憶手段３には、図形精度確認用情報（シンボル確認用）Ｅ２として以下が記憶されている。
【００６７】
シンボルが持つピンタイプが一致しないピン同士は結線できない。具体的には、各シンボルが持つピンタイプには、Ｄ＝デバイス、Ｒ＝レジスタ、Ｓ＝設定値等の意味を持つ文字列によって各々のピンタイプが定義されている。例えば、シンボルの１ピンにはデバイス、２ピンにはレジスタ、３ピンには設定値、４ピンにはデバイスが接続できるとすると、ピンタイプは“ＤＲＳＤ”となる。すなわち、シンボル情報Ｄ２をサーチして、シンボルｍ１（ｍ１＝１，２，３…）が持つピンｎ１（ｎ１＝１，２，３…）のピンタイプがＤとした場合、そのピンのＸＹ座標と結線ｍ２（ｍ２＝１，２，３…）の始点または終点のＸＹ座標が一致する結線を、始点、折れ点１、…折れ点ｎ、終点、または、終点、折れ点ｎ、…折れ点１、始点とたどっていき、結線の終点または始点座標と一致したピンｎ３（ｎ３＝１，２，３…）のＸＹ座標を持つシンボルｍ３（ｍ３＝１，２，３…）のピンタイプを調べＤでなかった場合はエラーとするルールである。
【００６８】
ここで、図２に示す図形精度確認手段１内にあるシンボル確認部１３は、図形情報記憶手段２に記憶されている結線の始点、折れ点、終点の情報Ｄ１と、シンボル情報Ｄ２、および図形精度確認用情報記憶手段３に記憶されている図形精度確認用情報（シンボル確認用）Ｅ２を読み込み、結線の始点、折れ点、終点の情報Ｄ１に対して、上記図形精度確認用情報（シンボル確認用）Ｅ２を用いて一致しない部分をエラー個所情報（シンボル）Ｋとして取り出す。
【００６９】
シンボルが持つピンタイプが一致しないピン同士を結線したシンボルを検出する例としては、シンボルｍ１（ｍ１＝１，２，３…）が持つピンｎ１（ｎ１＝１，２，３…）のピンタイプがＤとした場合、そのピンの座標ＸＹと結線の始点または終点のＸＹ座標が一致する結線ｍ２（ｍ２＝１，２，３…）を始点、折れ点１、…折れ点ｎ、終点、または終点、折れ点ｎ、…折れ点１、始点（ｎ２＝１，２，３…）とたどっていき、結線ｍ２の終点または始点座標が一致したピンのＸＹ座標を持つシンボルｍ３（ｍ３＝１，２，３…）が持つピンｎ３（ｎ３＝１，２，３…）のピンタイプを調べ、Ｄでなかった場合はエラーと判断し、エラー個所情報（シンボル）Ｋとしてシンボルｍ１と、シンボルｍ３の原点座標（シンボルｍ１座標Ｘ、シンボルｍ１座標Ｙ、シンボルｍ３座標Ｘ、シンボルｍ３座標Ｙ）を取り出す。
【００７０】
図２に示すシンボル確認部１３にて取り出されたエラー個所情報（シンボル）Ｋは、シンボルエラーマーク付加部１４に読み込まれ、取り出されたエラー個所情報（シンボル）Ｋをもとに、図５に示すように、シンボルの原点をある一定半径の円で囲むエラー図形情報（シンボル）Ｆ２を生成し、エラー図形情報記憶手段４に記憶する。
【００７１】
図５は、生成されたエラー図形情報（シンボル）Ｆ２および図形情報記憶手段２に記憶された編集図形情報Ｄを図形情報編集手段５に読み込んで、出力情報Ｃとして出力手段８に出力し、表示情報Ｂとして表示手段７に表示した一例を示したものである。
【００７２】
また、図２に示すシンボルエラーマーク付加部１４は、シンボル確認部１３にて取り出されたエラー個所情報（シンボル）Ｋをもとに、エラーシンボルの原点情報Ｑ、具体的には、「シンボルの原点情報（シンボルｍ座標Ｘ、シンボルｍ座標Ｙ）」  ｍ４（ｍ４＝１，２，３…））を生成し、エラーマトリックス表示機能２０に出力する。
【００７３】
エラーマトリックス表示機能２０は、受け取ったエラーシンボルの原点情報Ｑ（Ｘ座標、Ｙ座標）を上記と同様にマトリックスに変換し、エラーリスト情報Ｕとしてエラーリスト記憶手段９に出力し記憶する。
【００７４】
第３の実施の形態によれば、シンボル確認部エラー発見を確実に行うことができる。
【００７５】
（第４の実施の形態：請求項４に対応）
次に、線番号確認部エラー発見方法について詳細に説明する。
【００７６】
図２に示す図形情報記憶手段２には、図３に示すように、参照編集図形情報Ｄとして結線の始点、折れ点、終点の情報Ｄ１が記憶されている。また、シンボル情報Ｄ２、線番情報Ｄ３も記憶されている。
【００７７】
一方、図２に示す図形精度確認用情報記憶手段３には、図形精度確認用情報（線番号確認用）Ｅ３として以下が記憶されている。
【００７８】
シンボルが持つピンタイプが結線に振られた線番の頭文字と一致しない線番を結線に振ることはできない。具体的には、各シンボルが持つピンタイプには、Ｄ＝デバイス、Ｒ＝レジスタ、Ｓ＝設定値、等の意味を持つ文字列によって各々のピンタイプが定義されている。例えば、シンボルの１ピンにはデバイス、２ピンにはレジスタ、３ピンには設定値、４ピンにはデバイスが接続できるとすると、ピンタイプは“ＤＲＳＤ”となる。すなわち、あるシンボルが持つピンのピンタイプがＤとした場合、そのピンのＸＹ座標と、結線の始点または終点のＸＹ座標が一致する結線の線上に、線番シンボルの原点を持つ線番シンボルの線番頭文字がＤ以外の場合、例えば線番がＲ２０００の場合は、エラーとするルールである。
【００７９】
ここで、図２に示す図形精度確認手段１内にある線番号確認部１５は、図形情報記憶手段２に記憶されている結線の始点、折れ点、終点の情報Ｄ１とシンボル情報Ｄ２と線番情報Ｄ３および図形精度確認用情報記憶手段３に記憶されている図形精度確認用情報（線番号確認用）Ｅ３を読み込み、上記線番情報Ｄ３に対して、上記図形精度確認用情報（線番号確認用）Ｅ３を用いて、一致する部分をエラー個所情報（線番号確認部）Ｌとして取り出す。
【００８０】
シンボルが持つピンタイプが結線に振られた線番の頭文字と一致しない線番を検出する例としては、シンボル情報Ｄ２をサーチして、シンボルｍ１（ｍ１＝１，２，３…）が持つピンｎ１（ｎ１＝１，２，３…）のピンタイプがＤとした場合、そのピンｎ１のＸＹ座標と、結線の始点、折れ点、終点の情報Ｄ１の始点または終点のＸＹ座標が一致する結線ｍ２（ｍ２＝１，２，３…）の線上に、線番情報Ｄ３にて定義された線番シンボルｍ３（ｍ３＝１，２，３…）の原点が一致し、線番シンボルｍ３（ｍ３＝１，２，３…）の線番頭文字がＤ以外であれば、エラーとして線番シンボルｍ３（ｍ３＝１，２，３…）の原点座標、例えば、線番ｍ３座標Ｘ、線番ｍ３座標Ｙを取り出す。
【００８１】
図２に示す線番号確認部１５にて取り出されたエラー個所情報（結線番号確認部）Ｌは、線番号エラーマーク付加部１６に読み込まれ、取り出されたエラー個所情報（結線番号確認部）Ｌをもとに、線番シンボルの原点をある一定半径の円で囲むエラー図形情報（線番号確認部）Ｆ３としてエラー図形情報記憶手段４に記憶する。
【００８２】
図６は、生成されたエラー図形情報（線番号確認部）Ｆ３および図形情報記憶手段２に記憶された編集図形情報Ｄを図形情報編集手段５に読み込んで、出力情報Ｃとして出力手段８に出力し、また表示情報Ｂとして表示手段７に表示した一例を示したものである。
【００８３】
また、図２に示した線番号エラーマーク付加部１６は、線番号確認部１５にて取り出されたエラー個所情報（線番号確認部）Ｌをもとに、エラー線番シンボルの原点情報Ｒ、具体的には、線番シンボルの原点情報すなわち線番情報Ｄ３の「線番１座標Ｘ、線番１座標Ｙ」を生成し、エラーマトリックス表示機能２０に出力する。
【００８４】
エラーマトリックス表示機能２０は、受け取ったエラーシンボル情報の（Ｘ座標、Ｙ座標）を前記同様マトリックスに変換し、エラーリスト情報Ｕとしてエラーリスト記憶装置９に出力し記憶する。
【００８５】
第４の実施の形態によれば、シンボル確認部エラー発見を確実に行うことができる。
【００８６】
（第５の実施の形態：請求項５に対応）
次に、結線配置位置確認部エラー発見方法について詳細に説明する。
【００８７】
図２に示すように、図形情報記憶手段２には、編集図形情報Ｄとして結線の始点、折れ点、終点の情報Ｄ１が記憶されている。
【００８８】
一方、同図に示す図形精度確認用情報記憶手段３には、図形精度確認用情報Ｅ４として、以下のルールが記憶されている。
【００８９】
結線の始点、折れ点、終点が一定の大きさのグリッドと一致しない場合には、エラーとする。具体的には、グリッドのピッチが１ｍｍと定義されている場合、結線の始点、折れ点、終点のＸＹ座標が１ｍｍで割り切れないもの、例えばＸ座標が１０２．０３となる結線はエラーとするルールである。
【００９０】
ここで、図２に示す図形精度確認手段１内にある結線配置位置確認部１７は、図形情報記憶手段２に記憶されている結線の始点、折れ点、終点の情報Ｄ１および図形精度確認用情報記憶手段３に記憶されている図形精度確認用情報（結線配置位置確認用）Ｅ４を読み込み、上記結線の始点、折れ点、終点の情報Ｄ１に対して上記図形精度確認用情報（結線配置位置確認用）Ｅ４を用いて、一致する部分をエラー個所（結線配置位置確認部）Ｍとして取り出す。
【００９１】
結線の始点、折れ点、終点が一定の大きさのグリッドと一致しない場合のエラー結線の検出例としては、グリッドの大きさを１ｍｍとした場合、結線ｍ（ｍ＝１，２，３…）の結線ｍ始点Ｘまたは結線ｍ始点Ｙ、結線ｍ折れ点Ｘ１、結線ｍ折れ点Ｙ１・・・結線ｍ始点Ｘ、結線ｍ終点Ｙの座標が１で割り切れない時、エラーとし、結線の座標、結線ｍ始点Ｘ、結線ｍ始点Ｙを取り出す。
【００９２】
図２に示す結線配置位置確認部１７にて取り出されたエラー個所情報（結線配置位置確認部）Ｍは、結線配置位置エラーマーク付加部１８に読み込まれ、取り出されたエラー個所情報（結線配置位置確認部）Ｍをもとに、結線の始点、折れ点、終点をある一定半径の円で囲むエラー図形情報（結線配置位置確認部）Ｆ４を生成し、エラー図形情報記憶装置４に記憶する。
【００９３】
図７は、生成されたエラー図形情報Ｆと、図形情報記憶手段２に記憶された編集図形情報Ｄとを図形情報編集手段５に読み込んで、出力情報Ｃとして出力手段８に出力し、表示情報Ｂとして表示手段７に表示した一例を示したものである。
【００９４】
また、図２に示す結線配置位置エラーマーク付加部１８は、結線配置位置確認部１７にて取り出されたエラー個所情報（結線配置位置確認部）Ｆ４をもとに、エラー結線の始点、折れ点、終点情報Ｓ、具体的には、結線の始点、折れ点、終点のＸ座標、Ｙ座標の例（結線ｍ始点Ｘ、結線ｍ始点Ｙ）を生成し、エラーマトリックス表示機能２０に出力する。
【００９５】
エラーマトリックス表示機能２０は、受け取ったエラー結線の始点、折れ点、終点の（Ｘ座標、Ｙ座標）をマトリックスに変換し、エラーリスト情報Ｕとしてエラーリスト記憶手段９に出力し記憶する。
【００９６】
第５の実施の形態によれば、結線配置位置確認部エラー発見を確実に行うことができる。
【００９７】
（第６の実施の形態：請求項６に対応）
次に、シンボル配置位置確認部エラー発見方法について詳細に説明する。
【００９８】
図２に示すように、図形情報記憶手段２には、編集図形情報Ｄとしてシンボル情報Ｄ２が記憶されている。
【００９９】
一方、同図に示す図形精度確認用情報記憶手段３には、図形精度確認用情報（シンボル配置位置確認用）Ｅ５として、以下のルールが記憶されている。
【０１００】
シンボルの原点が一定の大きさのグリッドと一致しない場合、エラーとする。具体的には、グリッドのピッチを１ｍｍと定義されている場合、シンボルの原点のＸＹ座標が１ｍｍで割り切れないもの、例えば、Ｘ座標が１０２．０３となるシンボルはエラーとするルールである。
【０１０１】
ここで、図２に示す図形精度確認手段１内にあるシンボル配置位置確認部１９は、図形情報記憶手段２に記憶されているシンボル情報Ｄ２および図形精度確認用情報記憶手段３に記憶されている図形精度確認用情報（シンボル配置位置確認用）Ｅ５を読み込み、上記シンボル情報Ｄ２に対して上記図形精度確認用情報（シンボル配置位置確認用）Ｅ５を用いて、一致する部分をエラー個所情報（シンボル）Ｋとして取り出す。
【０１０２】
シンボルの原点が一定の大きさのグリッドと一致しない場合のシンボルの検出例として、グリッドの大きさを１ｍｍとした場合、シンボルｍ（ｍ＝１，２，３…）の原点座標（シンボルｍ座標Ｘまたはシンボルｍ座標Ｙ）の座標が１で割り切れない時、エラーとし、シンボルの原点座標（シンボルｍ座標Ｘ、シンボルｍ座標Ｙ）を取り出す。
【０１０３】
図２に示すように、シンボル配置位置確認部１９にて取り出されたエラー個所情報（シンボル）Ｋは、シンボル配置位置エラーマーク付加部１４に読み込まれ、取り出されたエラー個所情報（シンボル）Ｋをもとに、シンボルの原点をある一定半径の円で囲むエラー図形情報（シンボル）Ｆ２としてエラー図形情報記憶手段４に記憶する。
【０１０４】
図８は、生成されたエラー図形情報Ｆおよび図形情報記憶手段２に記憶された編集図形情報Ｄを図形情報編集手段５に読み込んで、出力情報Ｃとして出力手段８に出力し、表示情報Ｂとして表示手段７に表示した一例を示したものである。
【０１０５】
図２に示すシンボル配置位置エラーマーク付加部１４は、シンボル配置位置確認部１９にて取り出されたエラー個所情報（シンボル）Ｆ２をもとに、エラーシンボルの原点情報、具体的には、シンボルの原点の（Ｘ座標、Ｙ座標）、例えば、（シンボルｍ座標Ｘ、シンボルｍ座標Ｙ）を生成し、エラーマトリックス表示機能２０に出力する。
【０１０６】
エラーマトリックス表示機能２０は、受け取ったエラーシンボル情報の（Ｘ座標、Ｙ座標）をマトリックスに変換し、エラーリスト情報Ｕとしてエラーリスト記憶手段９に出力し記憶する。
【０１０７】
第６の実施の形態によれば、シンボル配置位置確認部エラー発見方法を確実に行うことができる。
【０１０８】
なお、上記実施の形態は、プラント制御用ソフトウェア図面の健全性を確認する方法または装置であるが、その他の分野についても、図形精度確認用情報記憶手段に記憶された図形精度確認用情報に対して適用可能なルールに書き換えることによって、図面の精度確認処理を実施できることができ、本実施の形態と同様な効果を得ることができる。
【０１０９】
【発明の効果】
以上述べたように、本発明によれば、プラント制御用ソフトウェア図面においては、ソフトウェア図面の健全性確認処理が高速になると共にエラー箇所の見逃しも防止することができる。また、図面作成を経験していない素人であっても図面の精度確認を容易に行うことができる。
【図面の簡単な説明】
【図１】本発明の第１の実施の形態における図形編集装置の構成図である。
【図２】図形精度確認装置の構成図である。
【図３】編集図形情報の構成図である。
【図４】シンボルとシンボルを結ぶ結線に対するエラー表示の一例である。
【図５】結線にて接続された各々のシンボルの依存関係に対するエラー表示の一例である。
【図６】線番に対するエラー表示の一例である。
【図７】グリッド上に無い結線のエラー表示の一例である。
【図８】グリッド上に無いシンボルのエラー表示の一例である。
【図９】エラー箇所の領域を示す指標を用いてユーザに告知する一例である。
【図１０】従来の図形編集装置の構成図である。
【図１１】従来のソフトウェア検証方法の流れ図である。
【符号の説明】
１・・・図形精度確認手段、２・・・図形情報記憶手段、３・・・図形精度確認用情報記憶手段、４・・・エラー図形情報記憶手段、５・・・図形情報編集手段、６・・・入力手段、７・・・表示手段、８・・・出力手段、９・・・エラーリスト情報記憶手段、１０・・・図形編集手段、１１・・・結線確認部、１２・・・結線エラーマーク付加部、１３・・・シンボル確認部、１４・・・シンボルエラーマーク付加部、１５・・・線番確認部、１６・・・線番号エラーマーク付加部、１７・・・結線配置位置付加部、１８・・・結線配置位置エラーマーク付加部、１９・・・シンボル配置位置確認部、２０・・・エラーマトリックス表示機能、２１・・・プラント制御用ソフトウェア図、２２・・・文法書、２３・・・エラー結線、２４・・・エラー個所（結線）、２５・・・エラーシンボル、２６・・・エラー個所（シンボル）、２７・・・エラー線番、２８・・・エラー個所（線番）、２９・・・交点（グリッド）、３０・・・結線、３１・・・エラー個所（結線の配置エラー）、３２・・・エラーシンボル、３３・・・エラー個所（エラーシンボル）、３４・・・方眼紙の領域、３５・・・エラー個所、４０・・・シンボル、４１・・・結線、４２・・・線番、４３・・・シンボルの使用方法、４４・・・線番の定義、４５・・・結線の定義、Ａ・・・入力図形情報、Ｂ・・・表示図形情報、Ｃ・・・出力図形情報、Ｄ・・・編集図形情報、Ｄ１・・・結線の始点、折れ線、終点の情報、Ｄ２・・・シンボル情報、Ｄ３・・・線番情報、Ｅ・・・図形精度確認用情報、Ｆ・・・エラー図形情報、Ｆ１・・・エラー図形情報（結線確認部）、Ｆ２・・・エラー結線図形情報（シンボル）、Ｆ３・・・エラー図形情報（線番号確認部）、Ｆ４・・・エラー図形情報（結線配置位置確認部）、Ｇ・・・エラーリスト情報、Ｈ・・・表示情報、Ｉ・・・出力情報、Ｊ・・・エラー個所情報（結線確認部）、Ｋ・・・エラー個所情報（シンボル）、Ｌ・・・エラー個所情報（線番号確認部）、Ｍ・・・エラー個所情報（結線配置位置確認部）、Ｐ・・・エラー結線の始点情報、Ｑ・・・エラーシンボルの原点情報、Ｒ・・・エラー線番シンボルの原点情報、Ｓ・・・エラー結線の始点、折れ点、終点情報、Ｕ・・・エラーリスト情報、
【図１】
2005043955.tif 000003
【図２】
2005043955.tif 000004
【図３】
2005043955.tif 000005
【図４】
2005043955.tif 000006
【図５】
2005043955.tif 000007
【図６】
2005043955.tif 000008
【図７】
2005043955.tif 000009
【図８】
2005043955.tif 000010
【図９】
2005043955.tif 000011
【図１０】
2005043955.tif 000012
【図１１】
2005043955.tif 000013